(57)【要約】【課題】簡易に施工することができ、耐久性および機能性に優れた内壁の仕上げ構造を提供する。【解決手段】本考案の内壁の仕上げ構造は、ガルバリウム鋼板である薄板鋼板１を内壁の室内に面する壁面２に接着剤を用いて接着してなる。また、壁面２が湾曲または屈曲している場合には、これに合わせて薄板鋼板１を変形させて上で該壁面２に接着する。【選択図】図１
0003152035.tif 000002
【実用新案登録請求の範囲】
【請求項１】
内壁の仕上げ構造であって、
前記内壁の室内に面する壁面に薄板鋼板を接着してなることを特徴とする内壁の仕上げ構造。
【請求項２】
請求項１記載の内壁の仕上げ構造において、
湾曲または屈曲した前記壁面に対応して変形させた前記薄板鋼板を該壁面に接着してなることを特徴とする内壁の仕上げ構造。
【請求項３】
請求項１または２記載の内壁の仕上げ構造において、
前記薄板鋼板を前記壁面に複数接着する際に生じた目地にパテを充填し、該パテを該薄板鋼板の表面に合わせて研磨した上で該パテに該薄板鋼板と同色の塗装を施してなることを特徴とする内壁の仕上げ構造。
【請求項４】
請求項１乃至３のうちいずれか１項記載の内壁材の仕上げ構造であって、
前記薄板鋼板がガルバリウム鋼板であることを特徴とする内壁の仕上げ構造。
【請求項５】
請求項１乃至４のうちいずれか１項記載の内壁材の仕上げ構造であって、
前記薄板鋼板の裏面にセラミック材料を含む塗料を塗布した上で、該薄板鋼板を壁面に接着してなることを特徴とする内壁の仕上げ構造。
【考案の詳細な説明】
【技術分野】
【０００１】
本考案は、内壁の室内に面する壁面の仕上げ構造に関する。
【背景技術】
【０００２】
従来、内壁の室内に面する壁面の仕上げ構造としては、下記特許文献１に示すように、コンクリート製の躯体に石膏ボードを直貼りし、さらに美観を向上させるために石膏ボードの上にクロスを接着剤で貼付したものや、木製のパネルに石膏ボードを直貼りし、石膏ボード上にクロスを接着剤で貼付したものなど、石膏ボードにクロスを貼付したものが用いられている。
【先行技術文献】
【特許文献】
【０００３】
【特許文献１】特開２００４−３４６６１０号公報
【考案の開示】
【考案が解決しようとする課題】
【０００４】
しかしながら、従来の内壁の仕上げ構造では、クロスの破れや汚れに伴い定期的にクロスの貼替えを行わなければならないという不都合がある。
【０００５】
特に、子供部屋はクロスへのペン書き等の汚れがあり、キッチン等の近くでは油汚れがあり、居間ではタバコの脂によるクロスの黄ばみ汚れがある。これらはいずれも、汚れを落とすことは困難であり、仮に汚れが落とせたとしても、クロスの特性が損なわれて、色が斑になってしまうという不都合を生じる。
【０００６】
一方、壁面は、本来、メモ書きをしたりメモ用紙や予定表を貼り付けたりするように、単なる装飾壁面としてのみならず多目的な使用が可能であることが望まれるところ、従来のクロス貼りの内壁の仕上げでは、多目的な使用を行うほどクロスが汚れてクロスの貼替え時期が早まるという不都合を生じている。
【０００７】
以上の事情に鑑みて、本考案は、簡易に施工することができ、耐久性および機能性に優れた内壁の仕上げ構造を提供することを目的とする。
【課題を解決するための手段】
【０００８】
上記目的を達成するために、第１考案は、内壁の仕上げ構造であって、前記内壁の室内に面する壁面に薄板鋼板を接着してなることを特徴とする。
【０００９】
かかる第１考案の内壁の仕上げ構造によれば、内壁の室内に面する壁面に薄板鋼板を接着することで、破れることなく汚れにも強い内壁の仕上げを実現することができる。
【００１０】
特に、汚れ等の甚だしい子供部屋やキッチンに施工した場合にも、ペンの書き込みや油汚れを水拭きや洗剤による拭き取り等で落とすことができ、鋼板自体が傷むこともない。そのため、薄板鋼板をホワイトボード代わりに使用することができる。さらに、強磁性体である鋼板にマグネットを介してメモ用紙や予定表等に貼り付けることもでき、表面に凹凸のない鋼板にはプロジェクタ等を用いて鮮明な映像を映し出すことができる。
【００１１】
さらに、薄板鋼板は、コンクリート製の躯体や木製のパネルに貼られた石膏ボードに接着材を用いて貼り付けることや、既に石膏ボード上に施工されているクロスに接着材を用いて貼り付けることもできる。
【００１２】
このように、第１考案の内壁の仕上げ構造によれば、簡易に施工することができ、耐久性および機能性に優れた内壁の仕上げ構造を提供することができる。
【００１３】
第２考案は、第１考案の内壁の仕上げ構造において、湾曲または屈曲した前記壁面に対応して変形させた前記薄板鋼板を該壁面に接着してなることを特徴とする。
【００１４】
かかる第２考案の内壁の仕上げ構造によれば、薄板鋼板は、加工により変形させて用いることができるため、これを湾曲または屈曲した壁面に対応して変形させることで、湾曲または屈曲した壁面にも耐久性および機能性に優れた薄板鋼板を簡易に施工することができる。
【００１５】
第３考案は、第１または第２考案の内壁の仕上げ構造において、前記薄板鋼板を前記壁面に複数接着する際に生じた目地にパテを充填し、該パテを該薄板鋼板の表面に合わせて研磨した上で該パテに該薄板鋼板と同色の塗装を施してなることを特徴とする。
【００１６】
かかる第３考案の内壁の仕上げ構造によれば、複数の薄板鋼板を壁面に貼り合わせた場合に生じる目地をパテで塞ぐことで、施工後の仕上がりを良くすることができる。すなわち、目地にパテを充填し、パテで盛り上がった部分を薄板鋼板の表面に合わせて研磨することで凹凸を無くし、さらに薄板鋼板と同色で塗装することで目地を薄板鋼板と連続的に見せることができる。これにより、プロジェクタ等を用いてより鮮明な映像を映し出すことができ、機能性を向上させることができる。さらに、薄板鋼板の端縁をパテで覆うことができ、端縁からの鋼板の剥がれ等を防止して耐久性を向上させることができる。
【００１７】
第４考案は、第１〜第３考案のいずれかの内壁の仕上げ構造において、前記薄板鋼板がガルバリウム鋼板であることを特徴とする。
【００１８】
かかる第４考案の内壁の仕上げ構造によれば、耐久性および加工性に優れたガルバリウム鋼板を薄板鋼板として用いることで、簡易に施工することができ、耐久性に優れた内壁の仕上げ構造を実現することができる。
【００１９】
第５考案は、第１〜第４考案のいずれかの内壁の仕上げ構造において、前記薄板鋼板の裏面にセラミック材料を含む塗料を塗布した上で、該薄板鋼板を壁面に接着してなることを特徴とする。
【００２０】
かかる第５考案の内壁の仕上げ構造によれば、セラミック材料を含む塗料を薄板鋼板の裏面に塗布することで、耐久性のみならず防音性および断熱性をも高めることができる。
【図面の簡単な説明】
【００２１】
【図１】内壁の仕上げ構造を示す説明図。
【図２】薄板鋼板の断面構造を示す説明図。
【図３】薄板鋼板の目地の仕上げの様子を示す説明図。
【考案を実施するための形態】
【００２２】
本考案の一実施形態としての内壁の仕上げ構造について、図１〜図３を参照して説明する。
【００２３】
図１に示すように、本実施形態の内壁の仕上げ構造は、薄板鋼板１を内壁の室内に面する壁面２に接着してなる。
【００２４】
具体的に本実施形態の薄板鋼板１は、１枚の大きさが、例えば、９１２ｍｍ×１８２０ｍｍであり、厚さが０．４ｍｍである。なお、薄板鋼板１は、厚さが、０．３〜０．６ｍｍ程度であればよい。また、薄板鋼板１は、板幅９１２ｍｍの圧延鋼板をコイル状に巻き取ったものから、壁面２の高さに応じて必要な長さを切り出すようにしてもよい。
【００２５】
壁面２は、コンクリート製の躯体に石膏ボードを直貼りしたものや、木製のパネルに石膏ボードを直貼りしたもののほか、石膏ボードに既に貼られているクロスであってもよい。
【００２６】
薄板鋼板１と壁面２とは、スチレンブタジエン系などゴム系溶剤形接着材または、これを主成分とする両面テープ等で接着される。
【００２７】
図２に示すように、薄板鋼板１は、表面にクロメート皮膜層１１が形成され、クロメート皮膜層１１の間にアルミ亜鉛合金メッキ層に１２に挟まれた鋼板１３を有するガルバリウム鋼板である。
【００２８】
クロメート皮膜層１１は、防錆顔料であるクロム酸塩の皮膜である。アルミ亜鉛合金メッキ層１２は、アルミニウムが約５５％、亜鉛が約４３．４％、珪素が約１．６％の質量比の合金であり、アルミニウム成分がメッキ層１２の表面に不動皮膜を形成している。また、鋼板１３は、鉄を主成分とする原板である。
【００２９】
薄板鋼板１として、ガルバリウム鋼板を用いることで、鋼板自体が持つ耐久性を更に高めることができる。これにより、汚れ等の甚だしい子供部屋やキッチンに施工した場合にも、ペンの書き込みや油汚れを水拭きや洗剤による拭き取り等で落とすことができ、鋼板自体が傷むこともないばかりでなく、薄板鋼板をホワイトボード代わりに使用することもできる。
【００３０】
さらに、表面が銀白の光沢を有するガルバリウム鋼板には、プロジェクタ等を用いて鮮明な映像を映し出すことができると共に、強磁性体である鋼板にマグネットを介してメモ用紙や予定表等に貼り付けることもできる。そのため、本実施形態の内壁の仕上げ構造は、一般住宅に適用するのみならず、会社の会議室やショールームにも幅広く適用することができる。
【００３１】
次に、図３を参照して、本実施形態の内壁の仕上げ構造の施工方法について説明する。
【００３２】
まず、図示しない接着材で壁面２に対して接着された薄板鋼板１に突き合わせて、薄板鋼板１を新たに接着すると、図３（ａ）に示すように、これらの薄板鋼板１，１の間には、目地３が生じる。
【００３３】
これに対して、図３（ｂ）に示すように、それぞれ薄板鋼板１，１の端縁に合わせて、養生のためのマスキングテープ４，４を貼り付けた上で、図３（ｃ）に示すように、目地３にパテ５を充填する。このとき、充填したパテ５により目地３の部分が、薄板鋼板１，１に対してやや盛り上がる。
【００３４】
そのため、図３（ｄ）に示すように、充填したパテ５の部分をサンドペーパ等により研磨し、パテ５の表面を薄板鋼板１，１の表面に合わせる。このとき、マスキングテープ４，４により薄板鋼板１，1の損傷を防止することができると共に、マスキングテープ４，４の厚みが小さく、パテ５の表面を薄板鋼板１，１の表面にほぼ一致されることができる。
【００３５】
次いで、研磨したパテ５の表面に、薄板鋼板１，１と同色の塗料を塗布することで、図３（ｅ）に示すように、マスキングテープ４，４を剥がすと、パテ５を薄板鋼板１，１と一体に仕上げることができる。すなわち、目地３を塞いだパテ５を薄板鋼板１，１と連続的見せることができ、プロジェクタ等の投影画像をより鮮明に映し出すことができる。
【００３６】
以上、詳しく説明したように、本実施形態の内壁の仕上げ構造によれば、接着材を用いて薄板鋼板１を内壁の室内に面する壁面にすることで簡易に施工することができ、薄板鋼板１により耐久性および機能性に優れた内壁の仕上げ構造を実現することができる。
【００３７】
なお、本実施形態において、薄板鋼板１が、ガルバリウム鋼板の場合について説明したが、これに限定されるものではなく、トタンやステンレス鋼板、アルミ鋼板等であってもよい。ただし、アルミ鋼板の場合は、強磁性体でないため、マグネットを利用したメモ用紙等の貼り付けは困難であるが、鋼板の軽量化を図ることができると共に、防錆性を高めることができる。
【００３８】
また、薄板鋼板１を壁面２に施工する前に、薄板鋼板１の裏面に、セラミックビーズ等のセラミック材料を含む塗料を塗布した上で該薄板鋼板１を壁面２に接着するようにしてもよく、セラミック材料を含有させた接着材により、薄板鋼板１を壁面２に接着するようにしてもよい。この場合、セラミック材料により、防音性および断熱性を高めることができる。なお、より防音性および断熱性を高める意味では、セラミック材料を含む塗料が全面に塗布された薄板鋼板１を壁面２に接着することが好ましい。
【００３９】
さらに、本実施形態では、平面の壁面２に薄板鋼板１を施工する場合について説明したが、これに限定されるものではなく、湾曲または屈曲した壁面に施工してもよい。厚さ１ｍｍ以下の薄板鋼板は、曲げ加工等が可能であるため、湾曲または屈曲した壁面に合わせて薄板鋼板１を変形させ、これを湾曲または屈曲した壁面に接着することができる。これにより、湾曲または屈曲した壁面にも耐久性および機能性に優れた薄板鋼板１を簡易に施工することができる。
【符号の説明】
【００４０】
１…薄板鋼板、２…壁面、３…目地、４…マスキングテープ、５…パテ。
【図１】
0003152035.tif 000003
【図２】
0003152035.tif 000004
【図３】
0003152035.tif 000005
【手続補正書】
【提出日】平成21年5月8日(2009.5.8)
【手続補正１】
【補正対象書類名】実用新案登録請求の範囲
【補正対象項目名】請求項４
【補正方法】変更
【補正の内容】
【請求項４】
請求項１乃至３のうちいずれか１項記載の内壁の仕上げ構造であって、
前記薄板鋼板がガルバリウム鋼板（登録商標）であることを特徴とする内壁の仕上げ構造。
【手続補正２】
【補正対象書類名】実用新案登録請求の範囲
【補正対象項目名】請求項５
【補正方法】変更
【補正の内容】
【請求項５】
請求項１乃至４のうちいずれか１項記載の内壁の仕上げ構造であって、
前記薄板鋼板の裏面にセラミック材料を含む塗料を塗布した上で、該薄板鋼板を壁面に接着してなることを特徴とする内壁の仕上げ構造。
【手続補正３】
【補正対象書類名】明細書
【補正対象項目名】００１７
【補正方法】変更
【補正の内容】
【００１７】
第４考案は、第１〜第３考案のいずれかの内壁の仕上げ構造において、前記薄板鋼板がガルバリウム鋼板（登録商標、以下同じ）であることを特徴とする。